(57)【要約】  移動通信端末機は、少なくとも１つ以上の電話番号からなる電話帳を記憶し、緊急(ＳＯＳ)メッセージ内容及び緊急メッセージ受信先を登録するメモリ部と、緊急メッセージ伝送のための画面を表示する表示部と、音声データをスピーカーを通じてオーディオ信号に変換して出力し、マイクから受信されるオーディオ信号をデータ化するオーディオ部と、緊急メッセージ伝送が要求されると、緊急メッセージ内容を用いて緊急メッセージを構成し、所定の電話番号に緊急メッセージを送信する制御部と、を含むことを特徴とする。
2008541651.tif 000002
【特許請求の範囲】
【請求項１】
移動通信端末機であって、
少なくとも１つ以上の電話番号からなる電話帳を記憶し、緊急(ＳＯＳ)メッセージ内容及び緊急メッセージ受信先を登録するメモリ部と、
緊急メッセージ伝送のための画面を表示する表示部と、
音声データをスピーカーを通じてオーディオ信号に変換して出力し、マイクから受信されるオーディオ信号をデータ化するオーディオ部と、
緊急メッセージ伝送が要求されると、前記緊急メッセージ内容を用いて緊急メッセージを構成し、所定の電話番号に前記緊急メッセージを送信する制御部と、を含むことを特徴とする移動通信端末機。
【請求項２】
前記緊急メッセージは、前記移動通信端末機の位置情報を含むことを特徴とする請求項１に記載の移動通信端末機。
【請求項３】
前記制御部は、緊急メッセージ受信先の情報と緊急メッセージの識別コードとをさらに含む緊急メッセージを構成することを特徴とする請求項２に記載の移動通信端末機。
【請求項４】
前記緊急メッセージ受信先は、前記移動通信端末機の使用者により登録されるか、特定公共機関に予め設定されることを特徴とする請求項１に記載の移動通信端末機。
【請求項５】
前記制御部は、前記緊急メッセージ受信先から着呼が受信されると、着信を通報せず、通話を接続し、前記緊急メッセージ受信先でない他の人からの着信であれば、着信を通報せず、通話接続を拒否することを特徴とする請求項１に記載の移動通信端末機。
【請求項６】
前記制御部は、前記緊急メッセージ受信先と通話が接続されると、前記スピーカーによるオーディオ信号の出力が中止するように、前記オーディオ部を制御することを特徴とする請求項１に記載の移動通信端末機。
【請求項７】
前記制御部は、フォルダが閉じている状態であれば、前記スピーカーによるオーディオ信号の出力を中止するように制御し、フォルダが開いている状態であれば、オーディオ信号を前記スピーカーを通じて最小音量レベルで出力するように、前記オーディオ部を制御することを特徴とする請求項６に記載の移動通信端末機。
【請求項８】
移動通信端末機における緊急メッセージ伝送方法であって、
使用者により緊急メッセージ伝送が要求されると、緊急メッセージ内容を用いて緊急メッセージを構成するステップと、
前記緊急メッセージを予め登録された緊急メッセージ受信先に伝送し、予め登録された緊急メッセージ受信先が存在しなければ、電話帳に登録された所定の電話番号に前記緊急メッセージを伝送するステップと、を含むことを特徴とする方法。
【請求項９】
前記緊急メッセージは、前記移動通信端末機の位置情報と緊急メッセージの識別コードとをさらに含むことを特徴とする請求項８に記載の方法。
【請求項１０】
前記緊急メッセージを伝送する１つ以上の緊急メッセージ受信先を設定するステップと、
前記緊急メッセージの内容を設定するステップと、
前記緊急メッセージを反復して伝送する回数を設定するステップと、をさらに含むことを特徴とする請求項８に記載の方法。
【請求項１１】
前記緊急メッセージ受信先の登録は、既に記憶された電話番号を検索して、使用者により選択された所定の電話番号を登録することにより遂行されることを特徴とする請求項１０に記載の方法。
【請求項１２】
前記緊急メッセージ受信先の登録は、使用者により直接作成された電話番号を登録することにより遂行されることを特徴とする請求項１０に記載の方法。
【請求項１３】
前記緊急メッセージ内容に対する登録は、既に記憶された緊急メッセージ内容を検索して、使用者により選択された所定の緊急メッセージ内容を登録することにより遂行されることを特徴とする請求項１０に記載の方法。
【請求項１４】
前記緊急メッセージ内容に対する登録は、使用者により直接作成された緊急メッセージ内容を登録することにより遂行されることを特徴とする請求項１０に記載の方法。
【請求項１５】
前記緊急メッセージ受信先から着呼が受信されると、着信を通報せず、通話を自動的に接続するステップと、
前記緊急メッセージ受信先でない他の人から着呼が受信されると、着信を通報せず、通話を拒否するステップと、をさらに含むことを特徴とする請求項８に記載の方法。
【請求項１６】
移動通信端末機であって、
緊急メッセージ発信元から受信された緊急メッセージを表示する表示部と、
スピーカー及びマイクと接続され、音声データをスピーカーを通じてオーディオ信号に変換して出力し、マイクを通じて入力されるオーディオ信号をデータ化するオーディオ部と、
前記緊急メッセージ発信元と通話が要求されると、前記マイクを通じて入力されるオーディオ信号が遮断されるように制御する制御部と、を含むことを特徴とする移動通信端末機。
【請求項１７】
前記制御部は、受信されたメッセージが緊急メッセージであるか否かを判断し、緊急メッセージが受信されると、緊急メッセージ受信を知らせることを特徴とする請求項１６に記載の移動通信端末機。
【請求項１８】
前記制御部は、緊急メッセージ受信先にベルサウンドを最大音量で出力させることを特徴とする請求項１７に記載の移動通信端末機。
【請求項１９】
前記緊急メッセージ受信通報方式は、前記移動通信端末機の無音モード設定に関わらず、緊急メッセージ受信通報音を出力する方式であることを特徴とする請求項１７に記載の移動通信端末機。
【請求項２０】
前記緊急メッセージ受信通報方式は、前記移動通信端末機の無音モード設定に関わらず、緊急メッセージ受信通報音を出力する方式であることを特徴とする請求項１８に記載の移動通信端末機。
【請求項２１】
前記緊急メッセージは、緊急メッセージ識別コード、緊急メッセージ内容、緊急メッセージ発信元の位置情報及び緊急メッセージ発信元の電話番号を含むことを特徴とする請求項１６に記載の移動通信端末機。
【請求項２２】
前記制御部は、前記受信されたメッセージに緊急メッセージ識別コードが含まれているか否かに応じて、前記受信されたメッセージが緊急メッセージであるか否かを判断することを特徴とする請求項２１に記載の移動通信端末機。
【請求項２３】
移動通信端末機における緊急メッセージ受信方法であって、
緊急メッセージ発信元から緊急メッセージを受信するステップと、
前記緊急メッセージ発信元と通話が要求されるか否かを判断するステップと、
前記緊急メッセージ発信元と通話が要求されると、マイクによるオーディオ信号の入力を遮断するステップと、を含むことを特徴とする方法。
【請求項２４】
前記緊急メッセージは、緊急メッセージ識別コード、緊急メッセージ内容、緊急メッセージ発信元の位置情報及び緊急メッセージ発信元の電話番号を含むことを特徴とする請求項２３に記載の方法。
【請求項２５】
前記メッセージが受信されると、受信されたメッセージに緊急メッセージ識別コードが含まれているか否かに応じて、前記受信されたメッセージが緊急メッセージであるか否かを判断するステップをさらに含むことを特徴とする請求項２４に記載の方法。
【請求項２６】
前記緊急メッセージが受信されると、緊急メッセージ受信を使用者に知らせ、前記受信された緊急メッセージを表示するステップをさらに含むことを特徴とする請求項２３に記載の方法。
【請求項２７】
前記使用者にベルサウンドを通じて知らせることを特徴とする請求項２６に記載の方法。
【請求項２８】
前記移動通信端末機の無音モード設定に関わらず、緊急メッセージ受信通報音を使用者に知らせることを特徴とする請求項２６に記載の方法。
【請求項２９】
前記メモリ部に緊急メッセージ受信先が存在しない場合、前記所定の電話番号は電話帳に登録された番号であることを特徴とする請求項１に記載の方法。
【発明の詳細な説明】
【技術分野】
【０００１】
本発明は、移動通信端末機に係り、特に、移動通信端末機で使用者の緊急状況を知らせるための緊急(ＳＯＳ)メッセージを伝送する装置及び方法に関する。
【背景技術】
【０００２】
通信技術の発達とともに、移動通信サービスの加入者数が急激に増えて、大部分の人々が１つ以上の移動通信端末機を有している。したがって、人々は、緊急事態、例えば、交通事故や火事の発生、強盗の侵入又はならず者と遭遇する状況になると、これをだれかに知らせて救助を要請するために移動通信端末機を時々使用する。
【０００３】
現在では、使用者が移動通信端末機を用いてだれかに救助を要請する方法には、２つの方法が存在する。第１の方法によれば、使用者が移動通信端末機を通じてヘルパーに直接電話をかけて自分の状況を説明して救助を要請する。第２の方法によれば、使用者が、移動通信事業者により提供されるサービスに加入し、移動通信事業者に緊急救助要請をする。第２の方法において、使用者が移動通信事業者に緊急救助要請をすると、移動通信事業者は、使用者により予め指定された人に使用者の現在位置情報や現在状況を判断できる写真や動映像情報を提供して使用者の状況を知らせ、助けを要請する。
【０００４】
上述したように、第１の方法は、使用者が複数の人に一人ずつ電話をかけなければならないので、厄介であるという短所がある。また、第１の方法は、強盗が侵入するか、ならず者と遭遇するときのように、使用者が犯罪者と直接対面している状況では、助けを要請できないという短所がある。
【０００５】
一方、第２の方法は、緊急事態にある使用者の位置情報や現在状況を知らせるために、ＧＰＳのような位置追跡システムなどを用いる。したがって、使用者は、ＧＰＳ受信機能を備えるか、写真撮影が可能な移動通信端末機を別途に備えなければならない。また、位置情報や動映像及び写真情報は、移動通信事業者に応じて独自的に提供されるため、異なる移動通信網に加入した使用者にはサービスされず、同じ移動通信事業者に加入した使用者のみにサービスされるという短所がある。
【発明の開示】
【発明が解決しようとする課題】
【０００６】
したがって、本発明の目的は、使用者が緊急状況にある場合、直接に電話をかけず、短文メッセージ機能を用いて自分の状況を知らせ、救助を要請するための緊急メッセージを伝送する装置及び方法を提供することである。
【０００７】
また、本発明の他の目的は、使用者が移動通信事業者により提供される別途のサービスに加入することなく、移動通信端末機に記憶されている短文メッセージ機能を用いて自分の状況を知らせ、救助を要請するための緊急メッセージを伝送する装置及び方法を提供することである。 
【０００８】
さらに、本発明の他の目的は、使用者が緊急メッセージを伝送してから緊急メッセージ受信先から着信があれば、強盗やならず者などの危ない相手が着信を気づかないように、着信を示す信号無しに、自動的に通話を接続させて緊急メッセージを受信した受信先に使用者の緊急状況を知らせる緊急メッセージ伝送装置及び方法を提供することである。
【課題を解決するための手段】
【０００９】
このような目的を達成するために、本発明の第１の特徴によれば、移動通信端末機は、少なくとも１つ以上の電話番号からなる電話帳を記憶し、緊急(ＳＯＳ)メッセージ内容及び緊急メッセージ受信先を登録するメモリ部と、緊急メッセージ伝送のための画面を表示する表示部と、音声データをスピーカーを通じてオーディオ信号に変換して出力し、マイクから受信されるオーディオ信号をデータ化するオーディオ部と、緊急メッセージ伝送が要求されると、その緊急メッセージ内容を用いて緊急メッセージを構成し、所定の電話番号に緊急メッセージを送信する制御部と、を含む。
【００１０】
本発明の第２の特徴によれば、移動通信端末機における緊急メッセージ伝送方法は、使用者により緊急メッセージ伝送が要求されると、緊急メッセージ内容を用いて緊急メッセージを構成するステップと、その緊急メッセージを予め登録された緊急メッセージ受信先に伝送し、予め登録された緊急メッセージ受信先が存在しなければ、電話帳に登録された所定の電話番号に緊急メッセージを伝送するステップと、を含む。
【００１１】
また、本発明の第３の特徴によれば、移動通信端末機は、緊急メッセージ発信元から受信された緊急メッセージを表示する表示部と、スピーカー及びマイクと接続され、音声データをスピーカーを通じてオーディオ信号に変換して出力し、マイクを通じて入力されるオーディオ信号をデータ化するオーディオ部と、緊急メッセージ発信元と通話が要求されると、マイクを通じて入力されるオーディオ信号が遮断されるように制御する制御部と、を含む。
【００１２】
さらに、本発明の第４の特徴によれば、移動通信端末機における緊急メッセージ受信方法は、緊急メッセージ発信元から緊急メッセージを受信するステップと、緊急メッセージ発信元と通話が要求されるか否かを判断するステップと、緊急メッセージ発信元と通話が要求されると、マイクによるオーディオ信号の入力を遮断するステップと、を含む。
【発明の効果】
【００１３】
上述したように、使用者が緊急状況にある場合、多数の人々に一人ずつ電話をかけるか、使用者が別途の移動通信サービスに加入せず、短文メッセージ機能を用いて一挙に多数の人々に自分の状況を知らせ、救助を要請することができる。
【００１４】
また、使用者が緊急メッセージを伝送してから、緊急メッセージを受信した受信先から着信があれば、その着信を知らせず、直ちに通話を接続することにより、強盗やならず者と会うなど、危ない相手に知らせず、安全に緊急メッセージを受信した受信先に使用者の状況を知らせることができる。
【００１５】
さらに、使用者が緊急メッセージを伝送してから、緊急メッセージを受信した受信先でない他の人からの着信があれば、着信を知らせず、自動応答機能を用いて自分が緊急状況にあることを知らせるメッセージを伝送することにより、使用者が応答できない場合でも、自分の状況を知らせて救助を要請することが可能である。
【発明を実施するための最良の形態】
【００１６】
以下、本発明の好適な実施形態について添付図面を参照しながら詳細に説明する。図面において、同じ構成要素については、異なる図面に表示されても、同じ符号を付ける。下記の説明において、本発明の要旨のみを明瞭にするために、関連した公知の機能や構成についての具体的な説明は、適宜省略する。
【００１７】
図１は、本発明の実施形態による移動通信端末機のブロック構成図である。図１を参照すると、本発明の実施形態による移動通信端末機１００は、制御部１０２、表示部１０４、キー入力部１０６、メモリ１０８、送受信部１１０、音声処理部１１２、スピーカー１１４、マイク１１６及び振動部(バイブレータ)１１８を含む。
【００１８】
制御部１０２は、本発明の実施形態による緊急メッセージ伝送のための全般的な制御動作を遂行する。制御部１０２は、使用者により緊急メッセージメニューが選択されると、緊急メッセージメニュー画面を表示し、緊急メッセージメニュー画面で使用者とインターフェースをとることにより、緊急メッセージ機能を設定又は解除する。制御部１０２は、緊急メッセージ機能設定の際に、使用者とインターフェースをとることにより、緊急メッセージ受信先、緊急メッセージ内容及び緊急メッセージ反復呼出し回数を登録する。このような緊急メッセージ機能設定については、図３を参照して詳しく説明する。 
【００１９】
また、制御部１０２は、使用者による緊急メッセージ伝送要求入力が存在する場合、緊急メッセージを伝送し、緊急通話待機モードに進む。制御部１０２は、緊急通話待機モードで、緊急メッセージ受信先からの着呼(incoming call)が受信されると、自動的に通話が接続されるように制御する。また、制御部１０２は、緊急通話待機モードで、緊急メッセージ受信先と呼(call)が接続されると、フォルダの開閉状態に応じて、スピーカー１１４及びマイク１１６の入・出力を制御する。
【００２０】
表示部１０４は、ＬＣＤ(Liquid Crystal Display:液晶表示装置)からなることができ、移動通信端末機１００で発生する各種表示データを出力する。このような表示部１０４は、制御部１０２から出力される表示制御信号に対して緊急メッセージ、緊急メッセージ受信先及び緊急メッセージ反復呼出し回数を登録するための緊急メッセージメニュー画面を表示する。さらに、表示部１０４は、制御部１０２の制御下で、移動通信端末機１００が緊急通話待機モードにあることを示す緊急通話待機モードアイコンを表示し、緊急メッセージの伝送状況をテキストやアイコンのような視覚的なパターンで表示する。例えば、表示部１０４は、“ＳＯＳメッセージ呼出し中”−＞“ＳＯＳメッセージ伝送完了”−＞“確認電話//受信待機中”のように、緊急メッセージの伝送状況を示すテキストを表示する。また、表示部１０４は、バックライトを備える場合、制御部１０２の制御下で、緊急通話待機モードでバックライトをオフ状態とする。これは、使用者が強盗やならず者のような犯罪者と対面している場合、犯罪者に使用者の緊急メッセージ送出のような移動通信端末機１００の操作状態を知らせないようにするためである。
【００２１】
メモリ部１０８は、多数のプログラム及びデータを記憶させるためのＲＯＭ(read only memory)及びＲＡＭ(random access memory)からなることができ、本発明の実施形態による緊急メッセージ伝送を遂行するためのプログラム及びデータを記憶する。このようなメモリ部１０８は、本発明の実施形態による緊急メッセージ内容及び緊急メッセージを伝送する緊急メッセージ受信先を少なくとも１つ以上記憶させる領域を備える。ここで、緊急メッセージ内容及び緊急メッセージ受信先としては、予め記憶された内容が使用されるか、使用者により編集が可能に構成されることができる。
【００２２】
送受信部１１０は、制御部１０２で発生した信号を受信してデジタル無線変調を遂行し、その変調信号をアンテナを通じて送出する。また、アンテナを通じて受信される信号を復調して制御部１０２に伝送する。このような送受信部１１０は、制御部１０２の制御下で、緊急メッセージを予め登録された緊急メッセージ受信先に送信するか、予め登録された緊急メッセージ受信先からの呼(call)を含む外部からの呼を受信して制御部１０２に伝送する。
【００２３】
オーディオ部１１２は、制御部１０２の制御下で、音声データをスピーカー１１４を通じて使用者が聞けるオーディオ信号に変換して出力し、マイクロフォン１１６から受信されるオーディオ信号をデータ化して制御部１０２に出力する。このようなオーディオ部１１２は、緊急通話待機モードの際に、制御部１０２の制御下で、外部から呼接続要請、文字メッセージ受信又は別途の動作を知らせるためのオーディオ信号出力動作を中止する。
【００２４】
また、オーディオ部１１２は、緊急通話待機モードで、緊急メッセージ受信先に呼が接続されると、制御部１０２の制御下で、フォルダが閉じている状態では、スピーカー１１４によるオーディオ信号出力を中止し、マイク１１４へのオーディオ信号のみを受信してデータ化する。また、オーディオ部１１２は、緊急通話待機モードで、緊急メッセージ受信先に呼が接続されると、制御部１０２の制御下で、フォルダの開放状態では、オーディオ信号をスピーカー１１４を通じて最小音量レベルで出力し、マイク１１６から入力されたオーディオ信号を受信してデータ化する。これは、緊急メッセージ受信先に呼が接続されている場合、緊急メッセージ受信先からのオーディオ信号を、犯罪者が聞けないようにする一方、現在の緊急状況に対するオーディオ信号を緊急メッセージ受信先へ伝送するためである。
【００２５】
キー入力部１０６は、使用者とのインターフェースのための装置であって、各種機能(例えば、カメラ、スピーカー音量調節)キー、通話又は文字入力などのための多数のキー及び緊急メッセージ伝送のためのキーを備える。キー入力部１０６には、緊急メッセージ伝送のためのキーが別途のボタンで備えられるか、別途の機能のために割り当てられたボタンを新たに定義して緊急メッセージ伝送のためのボタンとして使用することもできる。例えば、スピーカーボリュームアップ/ダウンキーを数秒以上押すか、連続して数回押すことを緊急メッセージを伝送するための入力として定義して使用することが可能である。このようなキー入力部１０６は、使用者により緊急メッセージを伝送するためのキー入力が存在すれば、緊急メッセージ伝送要求入力信号を制御部１０２に出力する。制御部１０２は、緊急メッセージ伝送入力信号が受信されると、これを使用者に知らせるために、振動部１１８を通じて弱い振動を発生させるか、所定回数、例えば、三回の振動を発生させる。
【００２６】
図２は、本発明の実施形態による緊急メッセージ伝送過程を示したフローチャートである。以下、図１及び図２を参照して本発明の実施形態による移動通信端末機の緊急メッセージ伝送過程を詳しく説明する。
【００２７】
まず、制御部１０２は、ステップ２０２で、使用者からの緊急メッセージ伝送要求入力が存在すると、ステップ２０４で、緊急メッセージ機能が設定されている状態であるか否かを判断する。 
【００２８】
仮に、緊急メッセージ機能が設定されない状態であれば、緊急メッセージ伝送要求入力を無視し、ステップ２２６に進行して通常の手順を遂行する。しかしながら、緊急メッセージ機能が設定された状態であれば、制御部１０２は、ステップ２０６で、既に登録された緊急メッセージ受信先が存在するか否かを判断する。仮に、既に登録された緊急メッセージ受信先が存在しなければ、電話帳の特定電話番号、例えば、電話帳のアドレス０又は短縮番号０に該当する電話番号を一時的に緊急メッセージ受信先として設定するように構成することができる。また、緊急メッセージ受信先は、移動通信端末機の電話帳に記憶された特定グループに割り当てられることもできる。例えば、電話帳の“家族”グループに記憶されているすべての電話番号に、緊急メッセージを伝送する方法である。さらに、緊急メッセージ受信先は、１１９や１１２(韓国)、９１１(米国)のような特定電話番号となるように構成することも可能である。このような緊急メッセージ受信先として使用される電話帳の特定電話番号は、移動通信端末機の製造時に設定されるか、使用者により設定される。
【００２９】
ステップ２０６で、既に登録された緊急メッセージ受信先が存在すれば、制御部１０２は、ステップ２０８で、移動通信端末機１００を緊急モードに切り替え、緊急メッセージ内容及び現在の移動通信端末機１００の位置情報を読み出す。ここで、緊急メッセージ内容は、移動通信端末機１００の製造時に記憶されたものであるか、使用者により作成及び登録されて記憶されたものとなり得る。また、移動通信端末機１００の位置情報としては、基地局識別情報を使用することが好ましい。基地局識別情報は、移動通信端末機１００が基地局との通信のために予め記憶している値であり、現在通信中の基地局が変わると、これに応じて現在の基地局識別情報も変わる。
【００３０】
このように緊急メッセージ内容と現在の基地局識別情報とを読み出した後に、制御部１０２は、ステップ２１０で、緊急メッセージ内容及び現在の基地局識別情報を用いて緊急メッセージを構成する。このとき、緊急メッセージには、緊急メッセージ発信元電話番号及び緊急メッセージ識別コードがさらに含まれる。緊急メッセージ識別コードは、該当メッセージが緊急メッセージであることを知らせるためのものであって、特殊文字コードの使用が可能である。
【００３１】
また、制御部１０２は、ステップ２１２で、緊急メッセージを緊急メッセージ受信先に発送し、緊急通話待機モードに進む。このとき、緊急メッセージ受信先は一つ以上となり得る。複数の緊急メッセージ受信先が存在する場合、制御部１０２は、緊急メッセージを複数の緊急メッセージ受信先に順次に発送する。仮に、制御部１０２は、緊急メッセージの発送中にいずれか１つの受信先への発送にエラーが発生する場合には直ちに再発送せず、次の緊急メッセージ受信先に発送した後に、エラーの発生した受信先に対して再発送を遂行する。
【００３２】
制御部１０２は、緊急メッセージの発送中に、所定の緊急メッセージ受信先から着呼が受信されても、着呼受信動作とは別途に緊急メッセージ発送を持続する。また、制御部１０２は、緊急メッセージの反復呼出し回数が一回以上に設定されていると、緊急メッセージを少なくとも１つ以上の緊急メッセージ受信先に順次に発送した後に、予め設定された反復呼出し回数だけ反復して発送する。例えば、緊急メッセージの反復呼出し回数が３に設定されると、制御部１０２は、緊急メッセージを既に登録された少なくとも１つ以上の緊急メッセージ受信先に順次に発送した後に、同様の方式で二回発送する。仮に、サービス地域でないところで、緊急メッセージ伝送要求が入力されると、制御部１０２は、通話圏離脱を示すメッセージを表示し、移動通信端末機１００がサービス地域に進入すると、直ちに緊急メッセージが伝送されるように制御する。
【００３３】
一方、制御部１０２は、緊急通話待機モードに進入した状態で、予め設定された緊急通話待機モードアイコンを表示部１０４に表示し、緊急メッセージの伝送状況をテキストやアイコンのような視覚的なパターンで表示し、バックライトを備える場合、バックライトをオフさせる。また、制御部１０２は、緊急通話待機モードに進入した状態で、外部からの呼接続要請、文字メッセージ受信及びその他のアラーム動作を知らせるためのすべてのオーディオ出力動作を中止させる。このような緊急通話待機モードに進入した状態で、制御部１０２は、ステップ２１４で、着呼が受信されるか否かを判断する。制御部１０２は、外部から送受信部１１０を通じて着呼が受信されると、ステップ２１６で、着呼が緊急メッセージ受信先からの着呼であるか否かを判断する。すなわち、制御部１０２は、着呼の発信元を把握して、その着呼が緊急メッセージ受信先からの着呼であるか否かを判断する。
【００３４】
仮に、制御部１０２は、着呼が緊急メッセージ受信先からの着呼であれば、ステップ２１８で、着信を知らせずに自動的に通話を接続する。このとき、フォルダが閉じている状態であれば、スピーカー１１４によるオーディオ信号出力が中止され、マイク１１６へのオーディオ信号のみ入力される。一方、フォルダが開いている状態では、スピーカー１１４によるオーディオ信号出力及びマイク１１６によるオーディオ信号入力が順当に遂行される。このとき、フォルダが開いている状態で、スピーカー１１４によるオーディオ信号は、最小音量レベルで出力されることが好ましい。また、制御部１０２は、ステップ２２０で、緊急メッセージ受信先との通話接続が終了するか否かを判断する。制御部１０２は、使用者による通話終了キー入力により、緊急メッセージ受信先との通話接続が終了すると、ステップ２２４に進む。
【００３５】
一方、制御部１０２は、着呼が緊急メッセージ受信先でない、別の発信元からの着呼であれば、ステップ２２２で、着信通報無しに通話拒否を遂行し、緊急状況を知らせる自動応答メッセージを発信元に伝送する。ここで、緊急状況を知らせる自動応答メッセージは、使用者が緊急事態にあることを警察署/消防署にお知らせくださいのようなメッセージとなり得る。
【００３６】
制御部１０２は、ステップ２２４で、緊急通話待機モードが終了するかどうかを判断する。制御部１０２は、使用者による緊急通話待機モード終了に対応するキー入力が存在すると、緊急通話待機モードを終了する。制御部１０２は、緊急通話待機モード終了に対応するキー入力が存在しなければ、ステップ２１４に進んで緊急通話待機モードを保持する。
【００３７】
図３は、本発明の実施形態による緊急メッセージ機能設定過程を示したフローチャートであり、図４Ａ，４Ｂは、本発明の実施形態による緊急メッセージメニュー画面の例示図である。また、図５Ａ，５Ｂは、本発明の実施形態による緊急メッセージ機能設定時の緊急メッセージ受信先及び緊急メッセージ登録画面の例示図である。
【００３８】
以下、図１乃至図５を参照して、本発明の実施形態による緊急メッセージ機能設定過程について詳しく説明する。
【００３９】
制御部１０２は、ステップ３０２で、使用者からのキー入力部１０６による緊急メッセージメニュー選択が存在すれば、緊急メッセージメニュー画面を表示する。例えば、図４Ａは、メッセージ管理メニュー画面を示し、図４Ｂは、メッセージ管理メニューのうち、緊急メッセージメニューである“Ａｎｙｃａｌｌ ＳＯＳ”メニュー画面を示す。制御部１０２は、使用者から、図４Ａに示したメッセージ管理メニュー画面で、緊急メッセージメニューである“Ａｎｙｃａｌｌ ＳＯＳ”が選択されると、図４Ｂに示した緊急メッセージメニュー画面である“Ａｎｙｃａｌｌ ＳＯＳ”メニュー画面を表示する。図４Ｂを参照すると、本発明の実施形態による緊急メッセージメニュー画面には、緊急メッセージ機能を設定するための項目が表示される。
【００４０】
緊急メッセージ機能を設定するための項目は、緊急メッセージ設定/解除選択項目６２、緊急メッセージ受信先登録項目６４、緊急メッセージ内容登録項目６６及び緊急メッセージ反復呼出し登録項目６８を含むことができる。緊急メッセージ設定/解除項目６２は、緊急メッセージ機能を設定するか、解除するかを選択するための項目である。緊急メッセージ受信先登録項目６４は、緊急メッセージ受信先を登録するための項目である。緊急メッセージ内容登録項目６６は、緊急メッセージ内容を登録するための項目である。緊急メッセージ反復呼出し登録項目６８は、緊急メッセージを何回反復して伝送するかに対する緊急メッセージ反復呼出し回数を登録するための項目である。
【００４１】
上述したような緊急メッセージ機能を設定するための項目を含む緊急メッセージメニュー画面を表示した後に、制御部１０２は、ステップ３０６で、緊急メッセージ機能設定/解除が選択されるかどうかを判断する。例えば、制御部１０２は、図４Ｂに示した緊急メッセージ設定/解除項目６２で“解除”が選択されると、緊急メッセージ機能を解除すると判断し、“設定”が選択されると、緊急メッセージ機能を設定すると判断する。制御部１０２は、“解除”が選択されると、ステップ３０８に進んで緊急メッセージ機能を解除する。
【００４２】
一方、制御部１０２は、“設定”が選択されると、ステップ３１０で、緊急メッセージ受信先登録が選択されるかどうかを判断する。例えば、制御部１０２は、図４Ｂに示した緊急メッセージメニュー画面で、使用者により緊急メッセージ受信先登録項目６４が選択されると、緊急メッセージ受信先登録のための緊急メッセージ受信先登録画面を表示する。図５Ａは、緊急メッセージ受信先登録画面の一例を示す。図５Ａを参照すると、制御部１０２は、緊急メッセージ受信先登録画面で、“１.名前で検索”又は“２.グループで検索”のようなメニュー７２が選択されると、ステップ３１２で、既に記憶された電話番号を用いて緊急メッセージ受信先を登録すると判断する。制御部１０２は、ステップ３１４で、既に記憶されている電話番号のうち、所定の電話番号を選択して緊急メッセージ受信先として登録する。この際、制御部１０２は、既に記憶されている電話番号のうち、少なくとも１つ以上の電話番号を選択して緊急メッセージ受信先として登録することができる。
【００４３】
制御部１０２は、既に記憶されている電話番号を用いない場合、ステップ３１６で、使用者とインターフェースを通じて図５Ａに示した緊急メッセージ受信先登録画面で、新規な電話番号を作成し、その電話番号を緊急メッセージ受信先として登録する。ここで、制御部１０２は、新規な電話番号を少なくとも１つ以上作成して少なくとも１つ以上の電話番号を緊急メッセージ受信先として登録することが可能となる。また、制御部１０２は、既に記憶されている電話番号選択又は新規な電話番号作成による緊急メッセージ受信先登録の際に、各電話番号に優先順位を与えることができる。このように優先順位を与えて緊急メッセージ受信先を登録する場合、制御部１０２は、優先順位の高い緊急メッセージ受信先から順次に緊急メッセージを伝送する。
【００４４】
一方、制御部１０２は、ステップ３２０で、緊急メッセージ内容登録が選択されるかどうかを判断する。例えば、制御部１０２は、図４Ｂに示した緊急メッセージメニュー画面で、使用者により緊急メッセージ内容登録項目６４が選択されると、緊急メッセージ内容登録のための緊急メッセージ内容登録画面を表示する。例えば、図５Ｂは、緊急メッセージ内容登録画面の一例を示す。図５Ｂを参照すると、制御部１０２は、緊急メッセージ内容登録画面で、“緊急メッセージ検索”のように既に記憶されている緊急メッセージ内容を用いるためのメニュー８２が選択されると、ステップ３２２で、既に記憶されている緊急メッセージ内容を用いると判断する。制御部１０２は、ステップ３１４で、既に記憶された緊急メッセージ内容のうち、所定の緊急メッセージ内容を選択して緊急メッセージ内容を登録する。
【００４５】
制御部１０２は、既に記憶された緊急メッセージ内容を用いない場合、ステップ３２６で、使用者とインターフェースを通じて図５Ｂのような緊急メッセージ内容登録画面で、新規な緊急メッセージ内容を作成して緊急メッセージ内容を登録する。
【００４６】
一方、制御部１０２は、ステップ３２８で、緊急メッセージ反復呼出し回数が選択されるかどうかを判断する。例えば、制御部１０２は、図４Ｂに示した緊急メッセージメニュー画面で、緊急メッセージ反復呼出し登録項目６８を通じて緊急メッセージを何回反復して伝送するかに関する緊急メッセージ反復呼出し回数が使用者により選択されると、ステップ３３０で、選択された緊急メッセージ反復呼出し回数を登録する。
【００４７】
制御部１０２は、上述したように、緊急メッセージ受信先、緊急メッセージ内容及び緊急メッセージ反復呼出し回数を登録した後に、ステップ３３２で、上記登録された緊急メッセージ機能設定内容をメモリ１０８に記憶させ、緊急メッセージ機能設定過程を終了する。その後、制御部１０２は、待機画面に緊急メッセージ機能設定を知らせるアイコンを表示する。
【００４８】
図６は、本発明の実施形態による緊急メッセージ機能設定アイコンが表示された画面の例示図である。図６を参照すると、“ＳＯＳ”のような緊急メッセージ機能設定アイコン９２が表示されている待機画面を示している。使用者は、上述した緊急メッセージ機能設定アイコン９２を通じて緊急メッセージ機能が設定された状態か、解除された状態かを容易に認知することができる。
【００４９】
以下、本発明の実施形態による緊急メッセージ受信先端末機の構成及び動作について説明する。本発明の実施形態では、緊急メッセージ受信先端末機を別途に区分せず、図１の移動通信端末機が緊急メッセージ受信先端末機の機能を遂行する場合の構成について説明する。
【００５０】
図１を参照すると、制御部１０２は、外部からメッセージが受信されると、受信されたメッセージを分析して受信されたメッセージが一般メッセージであるか、緊急メッセージであるかを判別する。制御部１０２は、受信されたメッセージが一般メッセージであれば、一般メッセージ受信通報方式で一般メッセージ受信を知らせ、受信されたメッセージが緊急メッセージであれば、緊急メッセージ受信通報方式で緊急メッセージ受信を知らせる。
【００５１】
送受信部１１０は、メッセージなどのような外部から呼を受信して制御部１０２に伝送し、制御部１０２の制御下で、呼接続要請信号を送信する。表示部１０４は、制御部１０２から出力される表示制御信号に応じて緊急メッセージを表示する。
【００５２】
オーディオ部１１２は、制御部１０２の制御下で、音声データをスピーカー１１４を通じて使用者がきけるオーディオ信号に変換して出力し、マイク１１６から受信されるオーディオ信号をデータ化して制御部１０２に出力する。制御部１０２は、緊急メッセージを受信した後、緊急メッセージ発信元と通話を試みて通話が接続される場合、オーディオ部１１２及びマイク１１６を制御し、緊急メッセージ受信先のオーディオ信号が緊急メッセージ発信元へ伝送されないようにする。
【００５３】
図７は、本発明の実施形態による緊急メッセージ受信過程を示したフローチャートである。
図１及び図７を参照して、本発明の実施形態による緊急メッセージ受信先端末機が緊急メッセージを受信して使用者に知らせる過程について詳しく説明する。
【００５４】
制御部１０２は、ステップ４０２で、送受信部１１０を通じてメッセージが受信されると、ステップ４０４で、その受信されたメッセージが緊急メッセージであるか否かを判断する。このとき、制御部１０２は、受信されたメッセージを分析して受信されたメッセージに緊急メッセージを知らせる特殊文字コードが含まれているかどうかを判断する。制御部１０２は、受信されたメッセージに緊急メッセージを示す特殊文字コードが含まれていると、緊急メッセージと判断し、特殊文字コードが含まれていなければ、一般メッセージと判断する。その判断結果、制御部１０２は、受信されたメッセージが緊急メッセージでなければ、ステップ４０６で、一般メッセージ受信通報方式で一般メッセージ受信を知らせる。すなわち、制御部１０２は、一般メッセージ受信通報音を出力し、表示部１０４を通じて一般メッセージを表示する。
【００５５】
一方、制御部１０２は、受信されたメッセージが緊急メッセージであれば、ステップ４０８で、緊急メッセージ受信通報方式で緊急メッセージ受信を知らせる。すなわち、制御部１０２は、予め設定された一般メッセージ受信通報方式にかかわらず、緊急メッセージ受信通報方式で緊急メッセージ受信通報音を出力し、表示部１０４を通じて緊急メッセージを表示する。
【００５６】
緊急メッセージ受信通報方式は、予め設定されている一般メッセージベルサウンドのレベルにかかわらず、緊急メッセージ受信通報音を最大音量で出力する方式となり得る。また、緊急メッセージ受信通報方式は、予め設定されている一般メッセージベルサウンドの種類にかかわらず、サイレンなどのように新たに設定された緊急メッセージ通報音を出力する方式となり得る。このとき、使用者が一般メッセージ通報間隔を通報しないか、一回のみに指定した場合には、緊急メッセージ通報音を最大音量にして一回出力する。また、使用者が一般メッセージ通報間隔を２分ごとに通報すると指定した場合には、緊急メッセージ通報音を最大音量にして緊急メッセージ受信通報ベルサウンドを２分ごとに出力する。
【００５７】
一方、緊急メッセージ受信の際に、端末機が通話中の場合には、緊急メッセージ受信を知らせるための緊急メッセージ受信通報音を低い音量で出力する。また、緊急メッセージ受信の際に、端末機がブラウザ動作中、モデム通信中、付加サービス動作中の場合には、緊急メッセージ受信通報音を出力するとともに、緊急メッセージ受信を知らせるための緊急メッセージ受信アイコンを表示する。
【００５８】
図８は、本発明の実施形態に応じて受信された緊急メッセージが表示された画面の例示図である。図８を参照すると、制御部１０２は、表示部１０４を通じて緊急メッセージを表示する場合、緊急メッセージを知らせる“[Ａｎｙｃａｌｌ ＳＯＳ]”情報、緊急メッセージ内容“緊急事態です。助けてください。”、緊急メッセージ発信元の基地局識別情報“基地局ＩＤ-０００００”、緊急メッセージ発信日付及び時間“２/２７ ９:０８Ａ”、緊急メッセージ発信元の電話番号“Ｆｒｏｍ:０１１９２３４５６７”及び緊急メッセージ発信元の通話接続のための方法“接続:通話ボタン”を表示する。
【００５９】
上述したように、緊急メッセージ受信を知らせた後に、制御部１０２は、ステップ４１０で、緊急メッセージ受信先端末機使用者が緊急メッセージ発信元と通話接続を要求するかどうかを判断する。緊急メッセージ発信元との通話接続が要求される場合、制御部１０２は、ステップ４１２で、マイク１１６が作動しないようにオフ(off)させ、スピーカー１１４は作動するようにオン(on)させる。これは、緊急メッセージ発信元と呼が接続された場合、緊急メッセージ受信先からのオーディオ信号を使用者の近くにいる強盗などの犯罪者が聞けないようにし、現在の緊急事態に対応するオーディオ信号を緊急メッセージ受信先に伝えるようにするためである。ここで、マイク１１６は、緊急メッセージ発信元への一回目の発信時にのみオフ状態と(OFF)なり、二回目の発信からはオン状態(ON)となるように構成することができる。
【００６０】
一方、緊急メッセージ受信先端末機使用者が緊急メッセージ発信元との通話接続を要求しない場合、ステップ４１４で、通常の方法で通話を接続する。
【００６１】
以上、本発明の詳細について具体的な実施形態に基づいて説明してきたが、本発明の範囲を逸脱しない限り、各種の変形が可能であることは明らかである。従って、本発明の範囲は、上記実施形態に限定されるものではなく、特許請求の範囲の記載及び該記載と同等なものにより定められるべきである。
【図面の簡単な説明】
【００６２】
【図１】本発明の実施形態による移動通信端末機のブロック構成図である。
【図２】本発明の実施形態による緊急メッセージ伝送過程を示したフローチャートである。
【図３】本発明の実施形態による緊急メッセージ機能設定過程を示したフローチャートである。
【図４Ａ】本発明の実施形態による緊急メッセージメニュー画面の一例図である。
【図４Ｂ】本発明の実施形態による緊急メッセージメニュー画面の一例図である。
【図５Ａ】本発明の実施形態による緊急メッセージ受信先及び緊急メッセージ登録画面の例示図である。
【図５Ｂ】本発明の実施形態による緊急メッセージ受信先及び緊急メッセージ登録画面の例示図である。
【図６】本発明の実施形態による緊急メッセージ設定アイコンが表示された画面の例示図である。
【図７】本発明の実施形態による緊急メッセージ受信過程を示したフローチャートである。
【図８】本発明の実施形態に応じて受信された緊急メッセージが表示された画面の例示図である。
【符号の説明】
【００６３】
１００；移動通信端末機
１０２；制御部
１０４；表示部
１０６；キー入力部
１０８；メモリ部
１１０；送受信部
１１２；音声処理部
１１４；スピーカー
１１６；マイク
１１８；振動部
【図１】
2008541651.tif 000003
【図２】
2008541651.tif 000004
【図３】
2008541651.tif 000005
【図４Ａ】
2008541651.tif 000006
【図４Ｂ】
2008541651.tif 000007
【図５Ａ】
2008541651.tif 000008
【図５Ｂ】
2008541651.tif 000009
【図６】
2008541651.tif 000010
【図７】
2008541651.tif 000011
【図８】
2008541651.tif 000012
【国際調査報告】
2008541651.tif 000013